(57)【要約】      （修正有）【課題】軽い粉粒体の定量分割機は、粉粒体等によるシール精度や定量精度に欠けている。定量分割後を、自動化して、ウイルス等の混入等を無くし、コストダウンをし、安全な食品等の提供を目的とした。【解決手段】被開口袋の両面を、縦方向の真空相対ベルト等で挟み、ベルト等の進行に準じて、吸着面を保持し広げる袋の移載、開口、充填、閉口工程。粉粒体等を真空脱気により、密度を一定にし定量精度を良くし、環境を良くし、粉粒体等の飛散によるシールロスを無くし、フイルム等の材料の節約をした。包装機、真空包装機又はその方法。【選択図】図１
2008120449.tif 000002
【特許請求の範囲】
【請求項１】
被開口袋の両面を、相対ベルト等で挟み、真空で吸着し、そして、ベルトコンベア等の進行に準じて、吸着面を広げた、袋の開口方法及び移載方法。
【請求項２】
請求項１及び特許第３５８１８６０号記載のいずれかの一項で、垂直方向の相対するベルトコンベア等を設け、当該のベルト等の内側に沿うて、真空の隔室を設けた。被開口袋とベルト等と真空隔室を、導通した穴を設けた、袋開口機と移載機。
【請求項３】
請求項１、２及び特許第３５８１８６０号記載のいずれかの一項で、当該コンベアの下方に沿うて、ベルトコンベア等を設けた移載機。
【請求項４】
請求項１及び２のいずれかの一項で、被開口袋が１枚入る空間又は、受容開口径の許容範囲内で、自在に調整可能な機構にした、袋開口機と移載機。
2008120449.tif 000003
【発明の詳細な説明】
【技術分野】
【０００１】本発明は、惣菜等の定量分割後品物を、袋に投入し、次の工程の包装等への完全自動化にする為の、袋の開口及び移載に関する装置及び方法に関する。
【背景技術】
【０００２】惣菜等は、定量分割機又は手作業で分割して袋等に入れる。現状の対半は手作業に頼るのが多い。半自動の場合は、袋を開口杵に両手で押し当て、そして同時にエアーを袋内に吹き込み、開口さして、惣菜等を入れる方法がある。また、自動式では、積み重ねた袋を、真空パットで吸着し、１枚のみを取り出し、所定の場所まで移載して、エアーを噴射し、同時に袋の両サイドを真空パット等で、開口する方法がある。【０００３】トレイ容器の自動供給機及び惣菜等の定量分割機は完成されているが、袋の開口供給機は、エアーを噴射するなど、まだ、衛生面が残る。完全自動化による省人化が困難で、１台の定量分割機に対して、袋の開口供給に時間を要し、複数の人員を必要不可欠とした。【０００４】定量分割後の袋へ、投入と移載方法の簡素、簡単な物が無く、小企業の惣菜屋さんには、適応する機械がない。【０００５】
【特許文献１】特許第３５８１８６０号
【発明の開示】
【発明が解消しょうとする課題】
【０００６】
【０００７】今、問題となっているＯ−１５７の二次感染や、人から人への感染が時間の問題とされて、世界規模に拡大が注目視されている、鳥インフルエンザ等のウイルスや異物混入を防ぐ方法が、必要不可欠である。
【０００８】惣菜の多くは既に仕上がった物が多く、再加熱をすることが少ない物が多い。定量分割時点で無菌状態が要求される。また、冷凍食品は解凍後に急激に菌の増殖がある。
【０００９】本発明は、人員を無くして省人化でコストダウンをはかり、人手に触れる事無く、定量分割を可能にならしめて、安全と安心な食品の提供を目的とした。
【発明を解決するための手段】
【００１０】上記目的を達成する為、本発明は１被開口袋の両面を、３、７垂直方向の相対平ベルトコンベアやタイミングベルト等で挟んだ、構成にし３、７ベルトコンベアを設けた。
【００１１】その、３、７相対垂直ベルトコンベアの内側に沿うて、５、１０真空の隔室を設けた。
【００１２】そして、１被開口袋と３、７ベルトと５、１０真空隔室とを導通する複数個の１１導通穴を配した。
【００１３】３、７相対垂直ベルトコンベアが進行に準じて、６ベルト内幅が広がる機構にした。
【００１４】外に、真空ポンプを設けて、当該の４、８、１３、１８、接続穴とを導通ならしめ、１被開口袋を吸着可能にした。
【００１５】上記の３、７相対垂直相対ベルトコンベア等の下方に、水平方向等の２２水平移載ベルトコンベア等を設けた。
【発明の効果】
【００１６】本発明は、以上説明したように構成されているので、以下に記載されているような効果をうながす。
【００１７】本発明は構成全体が簡素、簡単である。
【００１８】本発明は小さなスペースで出来る。
【００１９】安価の為、小企業の会社でも使用が可能である。
【００２０】又、従来は分割時毎回人手に触れたが、まったく人手に触れる事無く、食品の定量分割、投入及び包装が容易となるので、異物混入、菌及び鳥インフルエンザ等のウイルスの二次感染及び増殖がなくなり、安全な食品を提供出来る。
【００２１】袋にエアーを吹き込むことが無いので、ウイルス等の混入、拡散が皆無で安全、安心です。
【００２２】そして、省人化で大きくコストダウンとなる。
【発明を実施する為の最良の形態】
【００２３】以下、本発明の実施の形態を図１に基づいて説明する。
【００２４】図１において、２受け入れ面を有した、相対の７垂直ベルトコンベアを設けた。
【００２５】３、７相対垂直ベルトコンベアの９内幅間隙は、１被開口袋が１枚入る空間で、自在に調整可能で平行状に設けている。
【００２６】その、３、７垂直コンベアの内幅の先端方向は、広く６開口されている。
【００２７】読いて、３、７相対垂直ベルトコンベアの延長上に平行した、１６，２１平行垂直ベルトコンベアを設けた。
【００２８】その、１６，２１平行垂直ベルトコンベアの内側にベルトに沿うて、１５，２０真空の隔室を設けた。
【００２９】１６，２１平行垂直ベルトコンベアは、１被開口袋の１９受容開口径の許容範囲以内で、自在に調整可能にしてある。
【００３０】そして、１被開口袋と１６，２１平行垂直ベルトコンベアのベルトと１５，２０真空隔室とを導通する、複数の１４導通穴を設けた。
【００３１】１５，２０真空隔室には、真空ポンプと接続する１３，１８接続穴を設けた。
【００３２】外に、真空ポンプを配し、真空ポンプと１５，２０真空隔室の１３，１８接続穴とを導通ならしめた。
【００３３】上記の１６，２１平行垂直ベルトコンベアと３，７相対垂直ベルトコンベアの下方に、ベルト中心方向に水平ベルトコンベア等の、２２移載用ベルトコンベア等を設けた。
【実施例】
【００３４】この発明の袋開口機、移載機及び当該の方法を実施例に基づいて説明すると、図１において、３，７，１６，２１垂直ベルトコンベアは適当なピッチでタクト送りをする。停止と動を繰り返す。停止の状態の時、別置きの袋供給機の重ね置きした袋を、真空パットで吸着し、１枚のみを取り出す機構で、３、７相対垂直ベルトコンベアの２受け入れ面に、７ベルトとに平行に移載する。７ベルト表面は、真空吸引されている為、１被開口袋は、７ベルトに吸着される。真空パットが袋から外れると、３、７相対垂直ベルトコンベアは動き前進する。挟まれた１被開口袋は、両面が吸着される。そして、前進すると、６ベルト内幅が１２開口されている為、１被開口袋は１７開口され前進する。そして、１６，２１平行垂直ベルトに移載されて、１７開口径が最大で１６，２１平行垂直ベルトコンベアが停止する。この位置で、特許第３５８１８６０号の定量分割機の吐出口下方に、合わし充填する。また、手作業の時も、この位置で充填する。充填が完了すると、１６，２１平行垂直ベルトコンベアと２２水平移載ベルトコンベアは動き移載する。そして、次の工程のシール工程か真空包装工程等に入る。又、コンベアの配列として、挟みコンベアのみ独立した後に、開口と平行コンベアを設けても良い。又、個々に独立した、挟み、開口、平行コンベアとしても良い。連続的に袋の供給、開口、移載ができる。
【産業上の利用可能性】
【００３５】同発明者特許第３５８１８６０号の非流動体の定量分割機と、当該発明の袋開口機、移載機を組み合わせると、人手に触れず、定量分割が出来、安全、安心な食品が提供出来る。【００３６】分割時毎回手に触れて、菌や鳥インフルエンザ等のウイルスの２次感染及び異物混入の防御が必要不可欠であった。本発明で衛生面及び安全性が可能となり、食品製造産業にとって画期的なものになる。【００３７】特許第３５８１８６０号の非流動体の定量分割機と当該発明の袋開口機、移載機と組み合わせると完全自動化が計られ、１人の人員で複数のラインを管理できる為、人員を大幅に減少できる。大人数のパートの製造人員に頼っていた、惣菜食品産業等にとっては大きく変革を与える。【００３８】自動分割機にかからない、手作業商品の品物も、袋の自動供給、開口、移載が容易となり、袋に毎回触れ無く、ウイルス等の混入が無くなる。【００３９】惣菜食品に関わらず、品物を袋詰めする商品にすべて対応できる。
【図面の簡単な説明】
【００４０】
【図１】この発明の実施例を示す略斜視平面図である。
【符号の説明】
１、被開口袋  ２、受け入れ面  ３、相対垂直ベルトコンベア  ４、接続穴  ５、真空隔室  ６、垂直コンベア開口  ７、相対垂直ベルトコンベア  ８、接続穴  ９、垂直コンベア内幅  １０、真空隔室  １１、導通穴  １２、開口  １３、接続穴  １４、導通穴  １５、真空隔室  １６、平行垂直ベルトコンベア  １７、被開口袋の開口  １８、接続穴  １９、受容開口径の許容範囲  ２０、真空隔室  ２１、平行垂直コンベア  ２２、移載コンベア。
【図１】
2008120449.tif 000004
【手続補正書】
【提出日】平成19年5月21日(2007.5.21)
【手続補正１】
【補正対象書類名】特許請求の範囲
【補正対象項目名】全文
【補正方法】追加
【補正の内容】
【特許請求の範囲】
【請求項１】
被開口袋の両面を、相対ベルト等で挟み、真空で吸着し、そして、ベルトコンベア等の進行に準じて、吸着面を広げた、袋の開口方法及び移載方法。
【請求項２】
被開口袋の両面を、相対ベルト等で挟み、そして、ベルトコンベア等が進行して、袋の開口機構を設けた、袋の開口方法及び移載方法。
【請求項３】
充填された広口袋の両面を、相対ベルト等で挟み、そして、ベルトコンベア等の進行に準じて、接触面を密接にした、袋の閉口方法及び移載方法。
【請求項４】
被開口袋に、ジョウゴ等を内装し、相対ベルトコンベア等で挟み、袋を移載する方法。
【請求項５】
特許第３５８１８６０号記載で、請求項１又は２項の、いずれかを設けた、袋開口機、閉口機と移載機。
【請求項６】
請求項１、２、３及び４記載のいずれかの一項で、当該コンベアの下方に沿うて、ベルトコンベア等を設けた移載機。
【請求項７】
請求項１及び２いずれかの一項で、被開口袋が１枚入る空間又は、受容開口径の許容範囲ないで、自在に調整可能な機構にした、袋開口機、閉口機と移載機。
【請求項８】
請求項１、２及び３項記載において、開口された袋内に、品物を定量分割充填し、そして、真空排気管等で真空脱気、閉口及びシールする真空包装の方法。
【手続補正２】
【補正対象書類名】明細書
【補正対象項目名】全文
【補正方法】変更
【補正の内容】
【発明の詳細な説明】
【技術分野】
【０００１】本発明は、惣菜等の定量分割後品物を、袋に投入し、次の工程の包装等への完全自動化にする為の、袋の開口、閉口及び移載に関する装置及び真空包装方法に関する。
【背景技術】
【０００２】惣菜等は、定量分割機又は手作業で分割して袋等に入れる。現状の対半は手作業に頼るのが多い。半自動の場合は、袋を開口杵に両手で押し当て、そして同時にエアーを袋内に吹き込み、開口さして、惣菜等を入れる方法がある。また、自動式では、積み重ねた袋を、真空パットで吸着し、１枚のみを取り出し、所定の場所まで移載して、エアーを噴射し、同時に袋の両サイドを真空パット等で、開口する方法がある。【０００３】トレイ容器の自動供給機及び惣菜等の定量分割機は完成されているが、袋の開口供給機は、エアーを噴射するなど、まだ、衛生面が残る。完全自動化による省人化が困難で、１台の定量分割機に対して、袋の開口供給に時間を要し、複数の人員を必要不可欠とした。【０００４】定量分割後の袋へ、投入と移載方法の簡素、簡単な物が無く、小企業の惣菜屋さんには、適応する機械がない。【０００５】又、真空包装機は、チャンバー内を真空にして、脱気とシールを同時にする方法があるが、面積を大きく取るのと高価になる欠点がある。【０００６】袋に定量分割充填した物に、真空のノズルを挿入して、脱気して、シールをする方法があるが、連続機構にならない為、省人化が出来ない欠点がある。【０００７】
【特許文献１】特許第３５８１８６０号
【特許文献２】特願２００３−０５７８２７
【発明の開示】
【発明が解消しょうとする課題】
【０００８】
【０００９】今、問題となっているＯ−１５７の二次感染や、人から人への感染が時間の問題とされて、世界規模に拡大が注目視されている、鳥インフルエンザ等のウイルスや異物混入を防ぐ方法が、必要不可欠である。
【００１０】惣菜の多くは既に仕上がった物が多く、再加熱をすることが少ない物が多い。定量分割時点で無菌状態が要求される。また、冷凍食品は解凍後に急激に菌の増殖がある。
【００１１】本発明は、人員を無くして省人化でコストダウンをはかり、人手に触れる事無く、定量分割を可能にならしめて、安全と安心な食品の提供を目的とした。
【発明を解決するための手段】
【００１２】上記目的を達成する為、本発明は１被開口袋の両面を、３、７垂直方向の相対平ベルトコンベアやタイミングベルト又は丸ベルト、チェンコンベア等で挟んだ、構成にし３、７上記ベルトコンベア等を設けた。以下ベルトコンベアと言う。
【００１３】その、３、７相対垂直ベルトコンベアの内側に沿うて、５、１０真空の隔室を設けた。
【００１４】そして、１被開口袋と３、７ベルトと５、１０真空隔室とを導通する複数個の１１導通穴を配した。
【００１５】３、７相対垂直ベルトコンベアが進行に準じて、６ベルト内幅が広がる機構にした。
【００１６】外に、真空ポンプを設けて、当該の４、８、１３、１８、接続穴とを導通ならしめ、１被開口袋を吸着可能にした。
【００１７】上記の３、７相対垂直相対ベルトコンベア等の下方に、水平方向等の２２水平移載ベルトコンベア等を設けた。
【００１８】真空包装の場合は、開口したところに、ジョウゴとノズルを挿入する。
【００１９】充填が完了すると、ジョウゴを上昇さし外す。
【００２０】袋を閉める、そして、ノズルで真空脱気ならしめ、完了と同時にヒートシールをする。
【発明の効果】
【００２１】本発明は、以上説明したように構成されているので、以下に記載されているような効果をうながす。
【００２２】本発明は構成全体が簡素、簡単である。
【００２３】本発明は小さなスペースで出来る。
【００２４】安価の為、小企業の会社でも使用が可能である。
【００２５】又、従来は分割時毎回人手に触れたが、まったく人手に触れる事無く、食品の定量分割、投入及び包装が容易となるので、異物混入、菌及び鳥インフルエンザ等のウイルスの二次感染及び増殖がなくなり、安全な食品を提供出来る。
【００２６】袋にエアーを吹き込むことが無いので、ウイルス等の混入、拡散が皆無で安全、安心です。
【００２７】真空包装の場合は、惣菜の日持ちが増す。
【００２８】また、レトルト食品も容易となる。
【００２９】そして、省人化で大きくコストダウンとなる。
【発明を実施する為の最良の形態】
【００３０】以下、本発明の実施の形態を図１に基づいて説明する。
【００３１】図１において、２受け入れ面を有した、相対の７垂直ベルトコンベアを設けた。
【００３２】３、７相対垂直ベルトコンベアの９内幅間隙は、１被開口袋が１枚入る空間で、自在に調整可能で平行状に設けている。
【００３３】その、３、７相対垂直コンベアの内幅の先端方向は、広く６開口されている。
【００３４】読いて、３、７相対垂直ベルトコンベアの延長上に平行した、１６，２１平行垂直ベルトコンベアを設けた。
【００３５】その、１６，２１平行垂直ベルトコンベアの内側にベルトに沿うて、１５，２０真空の隔室を設けた。
【００３６】１６，２１平行垂直ベルトコンベアは、１被開口袋の１９受容開口径の許容範囲以内で、自在に調整可能にしてある。
【００３７】そして、１被開口袋と１６，２１平行垂直ベルトコンベアのベルトと１５，２０真空隔室とを導通する、複数の１４導通穴を設けた。
１５，２０真空隔室には、真空ポンプと接続する１３，１８接続穴を設けた。
【００３８】外に、真空ポンプを配し、真空ポンプと１５，２０真空隔室の１３，１８接続穴とを導通ならしめた。
【００３９】分割充填時、袋の口を汚さない為、充填部の独立したコンベアベルト等にする事も出来る。充填時、完了時にコンベアベルト等の上下の昇降機構を設ける。
【００４０】又は、２６定量分割機の下に、上下機構を設けた２３ジョウゴを設ける。
【００４１】真空包装の場合は、相対垂直コンベアの形状を広口から、袋１枚が通る間隙の、挟みコンベア等の閉口機構を設ける。
【００４２】また、上下機構を設けた２５真空脱気用のノズル及び挟みコンベア上に、２４シール機構を設ける。
【００４３】上記の１６，２１平行垂直ベルトコンベアと３，７相対垂直ベルトコンベアの下方に、ベルト中心方向に水平ベルトコンベア等の、２２移載用ベルトコンベア等を設けた。
【実施例】
【００４４】この発明の袋開口機、移載機及び当該の方法を実施例に基づいて説明すると、図１において、３，７，１６，２１垂直ベルトコンベアは適当なピッチでタクト送りをする。停止と動を繰り返す。停止の状態の時、別置きの袋供給機の重ね置きした袋を、真空パットで吸着し、１枚のみを取り出す機構で、３、７相対垂直ベルトコンベアの２受け入れ面に、７ベルトとに平行に移載する。７ベルト表面は、真空吸引されている為、１被開口袋は、７ベルトに吸着される。真空パットが袋から外れると、３、７相対垂直ベルトコンベアは動き前進する。挟まれた１被開口袋は、両面が吸着される。そして、前進すると、６ベルト内幅が１２開口されている為、１被開口袋は１７開口され前進する。そして、１６，２１平行垂直ベルトに移載されて、１７開口径が最大で１６，２１平行垂直ベルトコンベアが停止する。この位置で、特許第３５８１８６０号の定量分割機の吐出口下方に、合わし充填する。また、手作業の時も、この位置で充填する。充填が完了すると、１６，２１平行垂直ベルトコンベアと２２水平移載ベルトコンベアは動き移載する。そして、次の工程のシール工程か真空包装工程等に入る。又、コンベアの配列として、挟みコンベアのみ独立した後に、開口と平行コンベアを設けても良い。又、個々に独立した、挟み、開口、平行コンベアとしても良い。連続的に袋の供給、開口、移載ができる。【００４５】ベルトコンベアをタイミングベルト又は、フリーチェンコンベアにしても良い。分割充填時、袋の口を汚さない為、充填部の独立した、コンベアベルト等にする事も出来る。充填時、完了時にコンベアベルト等の上下の昇降機構を設けることも出来る。【００４６】又、真空無しの相対ベルト等で挟み、従来の開口機器等を利用して、上にエアー等を噴射して、小さな隙間を設け、挟みシリンダー機器等で、袋を開口することも出来る。又、目的により、分割充填が機械で使用出来ない場合、又は簡易型、手作業で品物を充填するのは、真空装置を使用しない機構で、袋を手で開口して、ジョウゴ等を挿入して内装さし、相対コンベアベルト幅で、緩くジョウゴ付き開口袋を挟んで、移載することも出来る。袋の開口とジョウゴの内装を専従し、相対コンベアベルトに装着することで、より効率がアップする。コンベアベルト等が停止時に品物を充填する。【００４７】真空包装の場合は、２６分割機の下の、開口された袋に２３ジョウゴを下降さし、分割完了後に、２３ジョウゴを上昇さし外し、次に移載と同時に２５真空脱気ノズルを挿入する。真空脱気完了すると２５ノズルは上昇と同時に閉口と２４シール同時にならしめ、完了すると移載する。
【産業上の利用可能性】
【００４８】同発明者特許第３５８１８６０号の非流動体の定量分割機と、当該発明の袋開口機、移載機を組み合わせると、人手に触れず、定量分割が出来、安全、安心な食品が提供出来る。【００４９】分割時毎回手に触れて、菌や鳥インフルエンザ等のウイルスの２次感染及び異物混入の防御が必要不可欠であった。本発明で衛生面及び安全性が可能となり、食品製造産業にとって画期的なものになる。【００５０】特許第３５８１８６０号の非流動体の定量分割機と当該発明の袋開口機、移載機と組み合わせると完全自動化が計られ、１人の人員で複数のラインを管理できる為、人員を大幅に減少できる。大人数のパートの製造人員に頼っていた、惣菜食品産業等にとっては大きく変革を与える。【００５１】自動分割機にかからない、手作業商品の品物も、袋の自動供給、開口、移載が容易となり、袋に毎回触れ無く、ウイルス等の混入が無くなる。【００５２】惣菜食品に関わらず、品物を袋詰めする商品にすべて対応できる。【００５３】完全手作業の、簡易型も出来る。よりコンパクト化が出来る。より小企業にも対応出来る。【００５４】小規模で安価に、レトルト食品が出来る。【００５５】日持ちのする惣菜が出来る。
【図面の簡単な説明】
【００５６】
【図１】この発明の実施例を示す略斜視平面図である。
【図２】当該真空包装の場合の、全体側面図である。
【図３】当該真空包装の場合の、平面図である。
【符号の説明】
１、被開口袋２、受け入れ面３、相対垂直ベルトコンベア４、接続穴５、真空隔６、垂直コンベア開口７、相対垂直ベルトコンベア８、接続穴９、垂直コンベア内幅１０、真空隔室１１、導通穴１２、開口１３、接続穴１４、導通穴１５、真空隔室１６、平行垂直ベルトコンベア１７、被開口袋の開口１８、接続穴１９、受容開口径の許容範囲２０、真空隔室２１、平行垂直コンベア２２、移載コンベア２３、ジョウゴ２４、ヒートシーター  ２５、真空脱気ノズル  ２６、分割機。
【手続補正３】
【補正対象書類名】図面
【補正対象項目名】全図
【補正方法】変更
【補正の内容】
【図１】
2008120449.tif 000005
【図２】
2008120449.tif 000006
【図３】
2008120449.tif 000007
【手続補正書】
【提出日】平成19年6月1日(2007.6.1)
【手続補正１】
【補正対象書類名】特許請求の範囲
【補正対象項目名】全文
【補正方法】変更
【補正の内容】
【特許請求の範囲】
【請求項１】
被開口袋の両面を、相対ベルト等で挟み、真空で吸着し、そして、ベルトコンベア等の進行に準じて、吸着面を広げた、袋の開口方法及び移載方法。
【請求項２】
被開口袋の両面を、相対ベルト等で挟み、そして、ベルトコンベア等が進行して、袋の開口機構を設けた、袋の開口方法及び移載方法。
【請求項３】
充填された広口袋の両面を、相対ベルト等で挟み、そして、ベルトコンベア等の進行に準じて、接触面を密接にした、袋の閉口方法及び移載方法。
【請求項４】
被開口袋に、ジョウゴ等を内装し、相対ベルトコンベア等で挟み、袋を移載する方法。
【請求項５】
特許第３５８１８６０号記載で、請求項１又は２項の、いずれかを設けた、袋開口機、閉口機と移載機。
【請求項６】
請求項１、２、３及び４記載のいずれかの一項で、当該コンベアの下方に沿うて、ベルトコンベア等を設けた移載機。
【請求項７】
請求項１及び２いずれかの一項で、被開口袋が１枚入る空間又は、受容開口径の許容範囲ないで、自在に調整可能な機構にした、袋開口機、閉口機と移載機。
【請求項８】
請求項１、２、３及び６項記載において、開口された袋内に、品物を定量分割充填し、そして、真空排気管、真空隔室等で真空脱気、閉口及びシールする真空包装の方法。
【手続補正書】
【提出日】平成19年10月3日(2007.10.3)
【手続補正１】
【補正対象書類名】特許請求の範囲
【補正対象項目名】全文
【補正方法】変更
【補正の内容】
【特許請求の範囲】
【請求項１】
被開口袋の両面を、相対ベルト等で挟み、真空で吸着し、そして、ベルトコンベア等の進行に準じて、吸着面を広げた、袋の開口方法及び移載方法。
【請求項２】
被開口袋の両面を、相対ベルト等で挟み、そして、ベルトコンベア等が進行して、袋の開口機構を設けた、袋の開口方法及び移載方法。
【請求項３】
充填された広口袋の両面を、相対ベルト等で挟み、そして、ベルトコンベア等の進行に準じて、接触面を密接にした、袋の閉口方法及び移載方法。
【請求項４】
被開口袋に、ジョウゴ等を内装し、相対ベルトコンベア等で挟み、袋を移載する方法。
【請求項５】
特許第３５８１８６０号記載で、請求項１又は２項の、いずれかを設けた、袋開口機、閉口機と移載機。
【請求項６】
請求項１、２、３及び４記載のいずれかの一項で、当該コンベアの下方に沿うて、ベルトコンベア等を設けた移載機。
【請求項７】
請求項１及び２いずれかの一項で、被開口袋が１枚入る空間又は、受容開口径の許容範囲ないで、自在に調整可能な機構にした、袋開口機、閉口機と移載機。
【請求項８】
請求項１、２、３及び６項記載において、開口された袋内に、品物を定量分割充填し、そして、真空排気管、真空隔室等で真空脱気、閉口及びシールする真空包装の方法及び真空包装機。
【手続補正書】
【提出日】平成19年10月11日(2007.10.11)
【手続補正１】
【補正対象書類名】特許請求の範囲
【補正対象項目名】全文
【補正方法】追加
【補正の内容】
【特許請求の範囲】
【請求項１】
被開口袋の両面を、相対ベルトコンベア等で挟み、被開口袋を、真空隔室と導通穴で吸着し、そして、ベルトコンベア等の進行に準じて、吸着面を広げる開口手段を設けた、袋の開口方法及び移載方法。
【請求項２】
被開口袋の両面を、相対ベルトコンベア等で挟み、そして、ベルトコンベア等が進行して、袋の開口手段を設けた、袋の開口方法及び移載方法。
【請求項３】
被開口袋に、ジョウゴ等を内装し、相対ベルトコンベア等で挟み、袋を移載する方法。
【請求項４】
特許第３５８１８６０号において、請求項１、２又は３項の、いずれかの一項で定量分割充填手段を設けた、袋開口機、閉口機、移載機又は包装機。
【請求項５】
請求項４項記載で、当該コンベアの下方に沿うて、ベルトコンベア等を設けた移載機。
【請求項６】
請求項１，２及び４項いずれかの一項で、被開口袋が１枚入る空間又は、受容開口径の許容範囲ないで、自在に調整可能手段又は、昇降手段の機構にした、袋開口機、閉口機と移載機。
【請求項７】
請求項１，２，４，５及び６記載のいずれかの一項で、開口された袋内へ、品物を定量分割充填し、そして、袋の上部を、開閉手段を設けた真空隔室又は、ノズルで真空脱気、閉口、及びヒートシールする真空包装の方法及び装置。
【請求項８】
請求項７記載で、ベルトコンベア等の表面に、進行方向に直交する突起部を等間隔に設けたベルトコンベア。
【手続補正２】
【補正対象書類名】明細書
【補正対象項目名】全文
【補正方法】変更
【補正の内容】
【発明の詳細な説明】
【技術分野】
【０００１】本発明は、惣菜等の定量分割後品物を、袋に投入し、次の工程の包装等への完全自動化にする為の、袋の開口、閉口及び移載に関する装置及び方法に関する。
【背景技術】
【０００２】惣菜等は、定量分割機又は手作業で分割して袋等に入れる。現状の対半は手作業に頼るのが多い。半自動の場合は、袋を開口杵に両手で押し当て、そして同時にエアーを袋内に吹き込み、開口さして、惣菜等を入れる方法がある。また、自動式では、積み重ねた袋を、真空パットで吸着し、１枚のみを取り出し、所定の場所まで移載して、エアーを噴射し、同時に袋の両サイドを真空パット等で、開口する方法がある。【０００３】トレイ容器の自動供給機及び惣菜等の定量分割機は完成されているが、袋の開口供給機は、エアーを噴射するなど、まだ、衛生面が残る。完全自動化による省人化が困難で、１台の定量分割機に対して、袋の開口供給に時間を要し、複数の人員を必要不可欠とした。【０００４】定量分割後の袋へ、投入と移載方法の簡素、簡単な物が無く、小企業の惣菜屋さんには、適応する機械がない。【０００５】又、真空包装機は、チャンバー内を真空にして、脱気とシールを同時にする方法があるが、面積を大きく取るのと高価になる欠点がある。【０００６】従来のロータリー式の自動真空包装機等は、真空チャンバーの中に袋を入れて、チャンバー内全体を真空脱気する為、大容量の真空ポンプが不可欠である。【０００７】ロータリー式の自動真空包装機は、多数のチャンバーを円形に設ける為、大きな面積を要し、また高価になり、小企業では設置が難しい。【０００８】段取り替えの時、多数のチャンバーの為、洗浄に長時間を要す。【０００９】又、微粉体の物は、飛散による噛み込みによる、シールミスの解決が必要不可欠である。【００１０】粉体の場合は、スクリューオーガ式が多く用いられているが、粉体のシール面が無く、切れが悪く、定量性に欠ける。【００１１】袋に定量分割充填した物に、真空のノズルを挿入して、脱気して、シールをする方法があるが、連続機構にならない為、省人化が出来ない欠点がある。
【特許文献１】特許第３５８１８６０号
【特許文献２】特開２００４−２２４５６５
【特許文献３】特開２００６−２６２８８５
【発明の開示】
【発明が解消しようとする課題】
【００１２】
【００１３】今、問題となっているＯ−１５７の二次感染や、人から人への感染が時間の問題とされて、世界規模に拡大が注目視されている、鳥インフルエンザ等のウイルスや異物混入を防ぐ方法が、必要不可欠である。
【００１４】惣菜の多くは既に仕上がった物が多く、再加熱をすることが少ない物が多い。定量分割時点で無菌状態が要求される。また、冷凍食品は解凍後に急激に菌の増殖がある。
【００１５】本発明は、人員を無くして省人化でコストダウンをはかり、人手に触れる事無く、定量分割を可能にならしめて、安全と安心な食品の提供を目的とした。
【００１６】最近の、惣菜等は小数多品種の物が多く、段取り替えに短時間が必要不可欠である。
【００１７】又、袋の材質、種類、形状も種類が多く対応が不可欠である。
【００１８】従来の、ロータリー式の自動真空包装機のように、大きなスペースを必要としない、コンパクトな装置が必要不可欠である。
【００１９】又、微粉体の物は、飛散による噛み込みによる、シールミスの解決が必要不可欠である。
【発明を解決するための手段】
【００２０】上記目的を達成する為、本発明は１被開口袋の両面を、３、７垂直方向の相対平ベルトコンベアやタイミングベルト又は丸ベルト、チェンコンベア等で挟んだ、構成にし３、７上記ベルトコンベア等を設けた。以下ベルトコンベアと言う。
【００２１】その、３、７相対垂直ベルトコンベアの内側に沿うて、５、１０真空の隔室を設けた。
【００２２】そして、１被開口袋と３、７ベルトと５、１０真空隔室とを導通する複数個の１１導通穴を配した。
【００２３】３、７相対垂直ベルトコンベアが進行に準じて、６ベルト内幅が広がる機構にした。
【００２４】外に、真空ポンプを設けて、当該の４、８、１３、１８、接続穴とを導通ならしめ、１被開口袋を吸着可能にした。
【００２５】上記の３、７相対垂直相対ベルトコンベア等の下方に、水平方向等の２２水平移載ベルトコンベア等を設けた。
【００２６】当発明者の特許第３５８１８６０号記載の、真空式定量分割機で、粉体を充填した。
【００２７】充填が完了すると、ジョウゴを上昇さし外す。
【００２８】袋を閉める、そして、ノズルで真空脱気ならしめ、完了と同時にヒートシールをする。
【発明の効果】
【００２９】本発明は、以上説明したように構成されているので、以下に記載されているような効果をうながす。
【００３０】本発明は構成全体が簡素、簡単である。
【００３１】本発明は小さなスペースで出来る。
【００３２】安価の為、小企業の会社でも使用が可能である。
【００３３】袋の材質、種類、形状関係なく包装が可能である。
【００３４】袋の縦方向、直径方向に自在に調整可能手段の機構にしている為、大きな段取り替えが必要なく、短時間で段取り替えが出来る。
【００３５】多品種の小数の物も可能である。
【００３６】真空脱気容積が小さい為、真空ポンプの馬力が小さく、省エネルギーになる。
【００３７】小スペースの為効率良く、小企業でも設置が可能である。
【００３８】又、微粉体の物は、飛散による噛み込みによる、シールミスの解決が必要不可欠であるが、真空で保形されて、飛散が無くなり、シールミスが無くなる。
【００３９】特許第３５８１８６０号は、受容容積は、隔室になっている為、シール面を有しているので、粉体の切れが良い。
【００４０】又、従来は分割時毎回人手に触れたが、まったく人手に触れる事無く、食品の定量分割、投入及び包装が容易となるので、異物混入、菌及び鳥インフルエンザ等のウイルスの二次感染及び増殖がなくなり、安全な食品を提供出来る。
【００４１】袋にエアーを吹き込むことが無いので、ウイルス等の混入、拡散が皆無で安全、安心です。
【００４２】真空包装の場合は、惣菜の日持ちが増す。
【００４３】また、レトルト食品も容易となる。
【００４４】通常の包装機に、小さな付帯機器、開閉自在真空隔室、真空ノズル、ヒートシールを配置するだけで、真空包装機に出来る為、製造、在庫、管理費が安価になる。
【００４５】そして、省人化で大きくコストダウンとなる。
【発明を実施する為の最良の形態】
【００４６】以下、本発明の実施の形態を図１に基づいて説明する。
【００４７】図１において、２受け入れ面を有した、相対の７垂直ベルトコンベアを設けた。
【００４８】３、７相対垂直ベルトコンベアの９内幅間隙は、１被開口袋が１枚入る空間で、自在に調整可能手段を設け、平行状に配置している。
【００４９】その、３、７相対垂直ベルトコンベアの内幅の先端方向は、広く６開口されている。
【００５０】３，７，相対垂直ベルトコンベアの開閉手段又は、昇降手段を設けた。
【００５１】読いて、３、７相対垂直ベルトコンベアの延長上に平行した、１６，２１平行垂直ベルトコンベアを設けた。
【００５２】その、１６，２１平行垂直ベルトコンベアの内側にベルトに沿うて、１５，２０真空の隔室を設けた。
【００５３】１６，２１平行垂直ベルトコンベアは、１被開口袋の１９受容開口径の許容範囲以内で、自在に調整可能な機構にした。
【００５４】そして、１被開口袋と１６，２１平行垂直ベルトコンベアのベルトと１５，２０真空隔室とを導通する、複数の１４導通穴を設けた。
【００５５】１５，２０真空隔室には、真空ポンプと接続する１３，１８接続穴を設けた。
【００５６】１６，２１相対垂直ベルトコンベアの、昇降手段を設けた。
【００５７】外に、真空ポンプを配し、真空ポンプと１５，２０真空隔室の１３，１８接続穴とを導通ならしめた。
【００５８】分割充填時、袋の口を汚さない為、充填部の独立したベルトコンベア等にする事も出来る。
【００５９】充填時、完了時にベルトコンベア等の上下の昇降手段を設けた。
【００６０】又は、２６定量分割機の下に、上下機構手段を設けた２３ジョウゴを設ける。
【００６１】真空包装の場合は、相対垂直ベルトコンベアの形状を広口から、袋１枚が通る間隙の、挟みベルトコンベア等の閉口の手段を配置している。
【００６２】１６，２１のベルトコンベアの延長上に、２９，３０ベルトコンベアが充填後の進行に準じて、閉口手段を設けている。
【００６３】開閉手段を設けた、３１真空隔室で袋の上部を挟む。
【００６４】真空隔室には、真空ポンプに導通パイプが設けている。
【００６５】又は、隔室に昇降手段を設けた、真空ノズルが設けている。
【００６６】又は、両側を吸着され、開口された袋を昇降手段でノズルへを挿入する方法も可能である。
【００６７】又は、昇降手段を配置した真空脱気ノズルが設けている。
【００６８】開閉自在な真空隔室又は、真空脱気ノズルは、前後に移載可能な手段の機構にしてある。
【００６９】また、昇降手段を配置した２５真空脱気排気用のノズル及び挟みベルトコンベア上に、２４ヒートシール手段を設けている。
【００７０】真空脱気完了と同時に、ヒートシール手段の機構を設けている。
【００７１】従来のロータリー式と違い、直線方向の動きのベルトコンベア機構にして、スペースを取らないようにした。
【００７２】上記の３，７，１６，２１，２９，３０平行垂直ベルトコンベアと３，７相対垂直ベルトコンベアの下方に、ベルトコンベア中心方向に水平ベルトコンベア等の、２２移載用ベルトコンベア等を設けた。
【００７３】ベルトコンベアのベルト表面に、進行方向に直交する方向に、突起部を等間隔に設けて、袋のズレを無くした。
【実施例】
【００７４】この発明の袋開口機、移載機及び当該の方法を実施例に基づいて説明すると、図１において、３，７，１６，２１垂直ベルトコンベアは適当なピッチでタクト送りをする。停止と動を繰り返す。停止の状態の時、別置きの袋供給機の重ね置きした袋を、真空パットで吸着し、１枚のみを取り出す機構で、３、７相対垂直ベルトコンベアの２受け入れ面に、７ベルトコンベアとに平行に移載する。７ベルトコンベア表面は、真空吸引されている為、１被開口袋は、７ベルトコンベアに吸着される。真空パットが袋から外れると、３、７相対垂直ベルトコンベアは動き前進する。挟まれた１被開口袋は、両面が吸着される。そして、前進すると、６ベルトコンベア内幅が１２開口されている為、１被開口袋は１７開口され前進する。そして、１６，２１平行垂直ベルトコンベアに移載されて、１７開口径が最大で１６，２１平行垂直ベルトコンベアが停止する。この位置で、特許第３５８１８６０号の定量分割機の吐出口下方に、合わし充填する。また、手作業の時も、この位置で充填する。充填が完了すると、１６，２１平行垂直ベルトコンベアと２２水平移載ベルトコンベアは動き移載する。そして、次の工程のシール工程か真空包装工程等に入る。又、ベルトコンベアの配列として、挟みコンベアのみ独立した後に、開口と平行ベルトコンベアを設けても良い。又、個々に独立した、挟み、開口、平行ベルトコンベアとしても良い。
連続的に袋の供給、開口、移載ができる。【００７５】ベルトコンベアをタイミングベルト又は、フリーチェンコンベアにしても良い。分割充填時、袋の口を汚さない為、充填部の独立した、ベルトコンベア等にする事も出来る。充填時、完了時にベルトコンベア等の上下の昇降機構を設けることも出来る。【００７６】又、真空無しの相対ベルトコンベア等で挟み、従来の開口機器等を利用して、上にエアー等を噴射して、小さな隙間を設け、挟みシリンダー機器等で、袋を開口することも出来る。又、目的により、分割充填が機械で使用出来ない場合、又は簡易型、手作業で品物を充填するのは、真空装置を使用しない機構で、袋を手で開口して、ジョウゴ等を挿入して内装さし、相対ベルトコンベア幅で、緩くジョウゴ付き開口袋を挟んで、移載することも出来る。袋の開口とジョウゴの内装を専従し、相対ベルトコンベアに装着することで、より効率がアップする。ベルトコンベア等が停止時に品物を充填する。【００７７】真空包装の場合は、２６分割機の下の、開口された袋に２３ジョウゴを下降さし、分割完了後に、２３ジョウゴを上昇さし外し、次に移載と同時に２５真空脱気ノズルを挿入する。真空脱気完了すると２５ノズルは上昇と同時に閉口と２４シール同時にならしめ、完了すると移載する。
【産業上の利用可能性】
【００７８】同発明者特許第３５８１８６０号の非流動体の定量分割機と、当該発明の袋開口機、移載機を組み合わせると、人手に触れず、定量分割が出来、安全、安心な食品が提供出来る。【００７９】分割時毎回手に触れて、菌や鳥インフルエンザ等のウイルスの２次感染及び異物混入の防御が必要不可欠であった。本発明で衛生面及び安全性が可能となり、食品製造産業にとって画期的なものになる。【００８０】特許第３５８１８６０号の非流動体の定量分割機と当該発明の袋開口機、移載機と組み合わせると完全自動化が計られ、１人の人員で複数のラインを管理できる為、人員を大幅に減少できる。大人数のパートの製造人員に頼っていた、惣菜食品産業等にとっては大きく変革を与える。【００８１】自動分割機にかからない、手作業商品の品物も、袋の自動供給、開口、移載が容易となり、袋に毎回触れ無く、ウイルス等の混入が無くなる。【００８２】惣菜食品に関わらず、乾燥粉体、粉体調味料、その他の品物を袋詰めする商品にすべて対応できる。【００８３】完全手作業の、簡易型も出来る。よりコンパクト化が出来る。より小企業にも対応出来る。【００８４】小規模で安価に、レトルト食品が出来る。【００８５】日持ちのする惣菜が出来る。【００８６】次世代の真空包装機になる。
【図面の簡単な説明】
【００８７】
【図１】この発明の実施例を示す略斜視平面図である。
【図２】当該真空包装の場合の、全体側面図である。
【図３】当該真空包装の場合の、平面図である。
【符号の説明】
１、被開口袋  ２、受け入れ面  ３、相対垂直ベルトコンベア  ４、接続穴  ５、真空隔室  ６、垂直ベルトコンベア開口  ７、相対垂直ベルトコンベア  ８、接続穴  ９、垂直ベルトコンベア内幅  １０、真空隔室  １１、導通穴  １２、開口  １３、接続穴  １４、導通穴  １５、真空隔室  １６、平行垂直ベルトコンベア  １７、被開口袋の開口  １８、接続穴  １９、受容開口径の許容範囲  ２０、真空隔室  ２１、平行垂直ベルトコンベア  ２２、移載ベルトコンベア  ２３、ジョウゴ  ２４、ヒートシール  ２５、真空脱気ノズル  ２６、分割機  ２７、真空隔室２８、真空隔室２９、相対垂直ベルトコンベア３０、相対垂直ベルトコンベア３１、開閉自在隔室。
【手続補正３】
【補正対象書類名】図面
【補正対象項目名】図２
【補正方法】変更
【補正の内容】
【図２】
2008120449.tif 000008
【手続補正４】
【補正対象書類名】図面
【補正対象項目名】図３
【補正方法】変更
【補正の内容】
【図３】
2008120449.tif 000009
【手続補正書】
【提出日】平成19年10月18日(2007.10.18)
【手続補正１】
【補正対象書類名】明細書
【補正対象項目名】００１０
【補正方法】変更
【補正の内容】
【００１０】  粉体の場合は、スクリューオーガ式が多く用いられているが、粉体のシール面が無く、切れが悪く、定量性に欠ける。そして、スクリューオーガ式の場合は、粉体内の空気を圧縮して、微細化しただけで、完全脱気に当たらず、粉体等の飛散でシールミスの起因になる。
【手続補正２】
【補正対象書類名】明細書
【補正対象項目名】００３８
【補正方法】変更
【補正の内容】
【００３８】  又、粉体の物は、飛散の噛み込みによる、シールミスの解決が必要不可欠である。真空脱気及び保形で、飛散が無くなり、シールミスが無くなる。粉体等の乱舞による、環境の改善になる。
【手続補正３】
【補正対象書類名】明細書
【補正対象項目名】００５３
【補正方法】変更
【補正の内容】
【００５３】  １６，２１垂直ベルトコンベアは、１被開口袋の１９受容開口径を、許容範囲内で自在に調製手段の機構にした。
【手続補正４】
【補正対象書類名】明細書
【補正対象項目名】００５９
【補正方法】変更
【補正の内容】
【００５９】当発明者の、取得特許第３５８１８６０号の、非流動体の定量分割機で、開口された袋等へ、粉体又は顆粒等状態の物を充填した。又は分割充填前、完了時にベルトコンベア等の上下の昇降手段を設けた。
【手続補正書】
【提出日】平成19年12月11日(2007.12.11)
【手続補正１】
【補正対象書類名】特許請求の範囲
【補正対象項目名】全文
【補正方法】追加
【補正の内容】
【特許請求の範囲】
【請求項１】
被開口袋の両面を、相対ベルコンベアト等で挟み、真空で吸着し、そして、ベルトコンベア等の進行に準じて、吸着面を広げる開口手段を設けた、袋の開口、移載方法と装置。
【請求項２】
被開口袋の両面を、相対ベルトコンベア等で挟み、そして、ベルトコンベア等が進行して、袋の開口手段を設けた、袋の開口、移載方法と装置。
【請求項３】
充填された広口袋の両面を、相対ベルトコンベア等で挟み、そして、ベルトコンベア等の進行に準じて、接触面を密接にした、閉口手段を設けた、袋の閉口、移載方法と装置。
【請求項４】
被開口袋に、ジョウゴ等を内装し、相対ベルトコンベア等で挟み、袋の移載方法と装置。
【請求項５】
特許第３５８１８６０号記載で、請求項１又は２項の、いずれかを設けた、袋開口機、閉口機、移載機と包装機。
【請求項６】
請求項１、２、３及び４記載のいずれかの一項で、当該ベルトコンベアの下方に沿うて、ベルトコンベア等を設けた移載機。
【請求項７】
請求項１及び２いずれかの一項で、被開口袋が１枚入る空間又は、受容開口径の許容範囲ないで、自在に調整可能手段の機構にした、袋開口機、閉口機と移載機。
【請求項８】
請求項１，２，３，５，６，７，記載のいずれかの一項で、開口された袋内へ、品物を定量分割充填し、そして、袋の開口部を、開閉手段を設けた真空隔室、又はノズルで真空脱気包装する方法と装置。
【請求項９】
品物が定量分割充填された、袋の開口部を、開閉手段を設けた真空隔室、又は真空ノズル内装開閉手段を設けた隔室で、真空脱気包装する方法と装置。
【請求項１０】
請求項１，２，３，５，６，７記載のいずれかの一項で、ベルトコンベア等の表面に、進行方向に直交する突起部を等間隔に設けたベルトコンベア。
【手続補正書】
【提出日】平成20年1月15日(2008.1.15)
【手続補正２】
【補正対象書類名】特許請求の範囲
【補正対象項目名】全文
【補正方法】変更
【補正の内容】
【特許請求の範囲】
【請求項１】
被開口袋の一端開口面を上部にし、袋の上部両面を、真空手段の垂直方向相対ベルト等で挟み、そして、吸着面を保持しベルト等の進行の移載工程に準じて、吸着面を相互に広げる手段の開口工程、並行移動の充填工程、密着の閉口工程の一連装置及びその方法。
【請求項２】
被開口袋の一端開口面を上部にし、袋の上部両面を、垂直方向相対ベルト等で挟み、そして、相互密着面保持手段をし、垂直方向相対ベルト等の進行の移載工程に準じて、密着面を相互に広げる手段の袋開口工程、並行移動の充填工程、密着の閉口工程の一連装置及びその方法。
【請求項３】
特許第３５８１８６０号記載の非流動体の定量分割機等を、請求項１又は２項の、いずれかに設けた、袋移載、袋開口機、袋閉口機、包装機及びその方法。
【請求項４】
請求項１，２及び３項記載のいずれかの一項で、垂直方向相対ベルトの中心流方向の下方に沿うて、水平方向のベルトコンベア等を設けた移載機。
【請求項５】
請求項、１及び２いずれかの一項で、被開口袋が１枚入る空間又は、受容開口径を許容範囲の幅内で、調整、自在手段の機構にした、袋等の移載機、開口機及び閉口機。
【請求項６】
請求項、１及び２いずれかの一項で、被開口袋が、許容範囲内で、調整、自在な昇降手段の機構にした、袋等の移載機、開口機及び閉口機。
【請求項７】
請求項、３項記載等で品物を定量分割充填した、袋等の上部を、開閉手段を設けた真空隔室、又はノズルで真空脱気した真空包装機及びその方法。
【請求項８】
請求項、３項記載等で品物を定量分割充填した、袋等の上部を、真空ノズル内装開閉手段を設けた隔室で、真空脱気した真空包装機及びその方法。
【手続補正３】
【補正対象書類名】明細書
【補正対象項目名】全文
【補正方法】変更
【補正の内容】
【発明の詳細な説明】
【技術分野】
【０００１】本発明は、食品又は化学品の粉粒体、食品等を、特許第３５８１８６０号非流動体の定量分割機等で、定量分割した品物を袋に充填し、次の工程の包装、真空包装への完全自動化にする為の、袋の開口、閉口及び移載に関する一連装置及びその方法に関する。
【背景技術】
【０００２】粉粒体、惣菜等は、定量分割機又は手作業で分割して袋等に入れる、現状の大半は手作業に頼るのが多い、半自動の粉粒体、菜等は、定量分割機又は手作業で分割して袋等に入れる。現状の大半手作業場合は、袋を開口杵に両手で押し当て、そして同時にエアーを袋内に吹き込み、開口さして、惣菜等を入れる方法がある。また、自動式では、積み重ねた袋を、真空パットで吸着し、１枚のみを取り出し、所定の場所まで移載して、エアーを噴射し、同時に袋の両サイドを真空パット等で、開口する方法がある。【０００３】トレイ容器の自動供給機及び惣菜等の定量分割機は完成されているが、袋の開口供給機は、エアーを噴射するなど、まだ、衛生面が残る。完全自動化による省人化が困難で、１台の定量分割機に対して、袋の開口供給に時間を要し、複数の人員を必要不可欠とした。【０００４】定量分割後の袋へ、投入と移載方法の簡素、簡単な物が無く、小企業の惣菜屋さんには、適応する機械がない。【０００５】又、真空包装機は、チャンバー内を真空にして、脱気とシールを同時にする方法があるが、面積を大きく取るのと高価になる欠点がある。【０００６】従来のロータリー式の自動真空包装機等は、真空チャンバーの中に袋を入れて、チャンバー内全体を真空脱気する為、大容量の真空ポンプが不可欠である。【０００７】ロータリー式の自動真空包装機は、多数のチャンバーを円形に設ける為、大きな面積を要し、また高価になり、小企業では設置が難しい。【０００８】段取り替えの時、多数のチャンバーの為、洗浄に長時間を要す。【０００９】又、粉粒体の物は、飛散による噛み込みによる、シールミスの解決が必要不可欠である。【００１０】粉粒体の場合は、スクリューオーガ式が多く用いられているが、粉粒体のシール面が無く、切れが悪く、定量性に欠ける。【００１１】袋に定量分割充填した物に、真空のノズルを挿入して、脱気して、シールをする方法があるが、連続機構にならない為、省人化が出来ない欠点がある。【００１２】従来の開口装置及びその方法では、例えば特開平６−８０１２２号広報に開示されているように、対象物が軟性体の整理ナプキンやオムツ等が対象とされているが、当該発明は、まったく違う物性の性質の物を対象としている。【００１３】当該発明は、袋の移載、開口、発明者取得特許第３５８１８６０号記載の、非流動体の定量分割機等装置で分割し、粉粒体、食品等を充填、袋の閉口、真空脱気、ヒートシール、真空包装の一連の装置及びその方法である。【００１４】特開平６−８０１２２号広報は横形式で、当該発明は縦型式で、粉粒体やタレ等付き惣菜等が対象で、横型式にするとこぼれる。又タレ等がシール部に付着して、シールミスが生じる為、使用不可能である。【００１５】当該発明は、充填工程時の縦方向にした垂直方向相対ベルト全体を調整、自在な上下昇降手段の為、品物が充填時の衝突反力が無い。軽い粉粒体、ひじき煮や削りかつお節入り惣菜等の飛散が無く、シールミスが生じない。【００１６】当該発明は、袋の材質、形状、サイズに関係が左右されない。【００１７】当該発明は、通常の包装機又は真空包装機も可能である。
【特許文献１】特許第３５８１８６０号
【特許文献２】特開２００４−２２４５６５
【特許文献３】特開平０６−０８０１２２
【００１８】
【発明の開示】
【発明が解消しょうとする課題】
【００１９】今、問題となっているＯ―１５７の二次感染や、人から人への感染が時間の問題とされて、世界規模に拡大が注目視されている、鳥インフルエンザ等のウイルスや異物混入を防ぐ方法が、必要不可欠である。
【００２０】惣菜の多くは既に仕上がった物が多く、再加熱をすることが少ない物が多い。定量分割時点で無菌状態が要求される。また、冷凍食品は解凍後に急激に菌の増殖がある。
【００２１】本発明は、人員を無くして省人化でコストダウンをはかり、人手に触れる事無く、定量分割を可能にならしめて、安全と安心な食品の提供を目的とした。
【００２２】最近の、惣菜等は小数多品種の物が多く、段取り替えに短時間が必要不可欠である。
【００２３】又、袋の材質、種類、形状も種類が多く対応が不可欠である。
【００２４】従来の、ロータリー式の自動真空包装機のように、大きなスペースを必要としない、コンパクトな装置が必要不可欠である。
【００２５】又、粉粒体の物は、飛散による噛み込みによる、シールミスの解決が必要不可欠である。又、粉粒体の飛散による環境の改善が余儀なくされる。
【発明を解決するための手段】
【００２６】上記目的を達成する為、本発明は１被開口袋の両面を、３、７垂直方向相対平ベルトコンベアやタイミングベルトコンベア又は丸ベルトコンベア、チェンコンベア等で挟んだ構成にし、３、７上記ベルトコンベア等を設けた。以下、垂直方向相対ベルトと言う。
【００２７】その、３、７広垂直方向相対ベルトに、袋等の接触面方向ベルトの内側に沿うて、５、１０垂直真空隔室を設けた。
【００２８】そして、１被開口袋と３、７広垂直方向相対ベルトと５、１０垂直真空隔室とを導通する複数個の１１導通穴を配した。
【００２９】３、７広垂直方向相対ベルト進行に準じて、６垂直方向相対ベルト内幅が広がる手段機にした。
【００３０】外に、真空ポンプを設けて、当該の４、８、１３、１８、接続穴とを導通ならしめ、１被開口袋を吸着可能にした。
【００３１】上記の３、７広垂直方向相対ベルトの、中心流方向の下方に沿うて、水平方向の２２移載ベルト等を設けた。
【００３２】当発明者の特許第３５８１８６０号非流動体の定量分割機等、の真空式定量分割機で、粉粒体を分割充填した。当該発明は、真空脱気式の為、粉粒等の飛散が無く、シールロスが無く、環境にも良く、定量性に優れ、包材のフイルム等の節約になる。
【００３３】袋内の粉粒体上面と吐出口をほぼ一定間隙を保持しつつ充填しながら、垂直方向相対ベルト等を順次降下する。
【００３４】袋の上部開口部を、開閉手段を設けた垂直方向真空隔室等で、真空脱気ならしめ、完了と同時にヒートシールを施し真空包装終了する。
【発明の効果】
【００３５】
本発明は、以上説明したように構成されているので、以下に記載されているような効果をうながす。
【００３６】本発明は構成全体が簡素、簡単である。
【００３７】本発明は狭小なスペースで直線状に出来る。
【００３８】安価の為、小企業の会社でも使用が可能である。
【００３９】袋の材質、種類、形状関係なく包装が可能である。
【００４０】袋の垂直方向、直径方向に調整、自在手段の機構にしている為、大きな段取り替えが必要なく、短時間で段取り替えが出来る。
【００４１】多品種の小数の物も可能である。
【００４２】真空脱気容積が小さい為、真空ポンプの馬力が小さく、省エネルギーになる。
【００４３】小スペースの為効率良く、小企業でも設置が可能である。
【００４４】又、粉粒体の物は、飛散による噛み込みによる、シールミスによるロスの解決が必要不可欠であるが、真空で保形されて、飛散が無くなり、シールロスが無くなる。
【００４５】特許第３５８１８６０号の非流動体の定量分割機は、受容容積は、隔室になっている為、シール面を有しているので、粉粒体の切れが良い。
【００４６】又、従来は分割時毎回人手に触れたが、まったく人手に触れる事無く、食品等の定量分割、充填及び包装、真空包装が容易となるので、異物混入、菌及び鳥インフルエンザ等のウイルスの二次感染及び増殖がなくなり、安全な食品を提供出来る。
【００４７】袋にエアーを吹き込むことが無いので、ウイルス等の混入、拡散が皆無で安全、安心です。
【００４８】真空包装の場合は、惣菜の日持ちが増す。
【００４９】また、レトルト食品も容易となる。
【００５０】通常の包装機に、小さな付帯器具、開閉自在真空隔室、真空ノズル、ヒートシール等を配置するだけで、真空包装機に出来る為、製造、在庫、管理費が安価になる。
【００５１】そして、省人化で大きくコストダウンとなる。
【発明を実施する為の最良の形態】
【００５２】以下、本発明の実施の形態を図１に基づいて説明する。
【００５３】図１において、２受け入れ面を有した、３，７広垂直方向相対ベルトを設けた。
【００５４】３，７広垂直方向相対ベルトの９内幅間隙は、１被開口袋が１枚入る空間で、自在に調整可能手段を設け、平行状に配置している。
【００５５】その、３，７広垂直方向相対ベルトの内幅の先端方向は、広く６開口されている。
【００５６】３，７広垂直方向相対ベルトの延長上に平行した、１６，２１平行垂直方向ベルトを設けた。
【００５７】その、３，７，広垂直方向相対ベルトの広狭手段及び昇降手段を設けた。
【００５８】１６，２１平行垂直方向相対ベルトの内側にベルトに沿うて、１５，２０垂直方向真空隔室を設けた。
【００５９】１６，２１平行垂直方向相対ベルトは、１被開口袋の１９受容開口径の許容範囲以内で、幅を自在に調整可能な機構にした。
【００６０】そして、１被開口袋と１６，２１平行方向相対ベルトと１５，２０垂直方向真空隔室と導通する、複数の１４導通穴を設けた。
【００６１】１５，２０垂直方向真空隔室には、真空ポンプと接続する１３，１８接続穴を設けた。
【００６２】１６，２１平行垂直方向相対ベルトの、昇降手段を設けた。
【００６３】外に、真空ポンプを配し、真空ポンプと１５，２０垂直方向真空隔室の１３，１８接続穴とを導通ならしめた。
【００６４】分割充填時、袋の口を汚さない為、充填部の独立した１６，２１平行垂直方向相対ベルトにする事も出来る。
【００６５】袋内の粉粒体上面と吐出口をほぼ一定間隙を保持しつつ充填しながら、平行垂直方向相対ベルト等を順次降下する。
【００６６】又は、２６定量分割機の下に、上下昇降手段を設けた２３ジョウゴを設けることも出来る。
【００６７】真空包装の場合は、２９，３０挟垂直方向相対ベルトの形状を広口から、袋１枚が通る間隙の、狭めるベルトの広狭手段にしている。
【００６８】１６，２１の平行垂直方向相対ベルトの延長上に、２９，３０挟垂直方向相対ベルトが充填後の進行に準じて、挟手段を設けている。
【００６９】開閉手段を設けた、３１真空隔室で袋の上部を挟む。
【００７０】開閉自在隔室には、真空ポンプに導通パイプが設けている。
【００７１】又は、３１開閉自在隔室に昇降手段を設けた、２５真空ノズルが設けている。
【００７２】
又は、両側を吸着保持され開口された１袋を、昇降手段で２５真空ノズルへを挿入する方法も可能である。
【００７３】又は、昇降手段の機構をした２５真空脱気ノズルが設けている。
【００７４】３１開閉手段隔室又は、２５真空脱気ノズルは、前後に移載可能な手段の機構にしてある。
【００７５】また、昇降手段の３１開閉自在隔室及び狭め密着した、２９，３０挟垂直方向相対ベルト上に、２４ヒートシール手段を設けている。
【００７６】真空脱気完了と同時に、ヒートシール手段の機構を設けている。
【００７７】従来のロータリー式と違い、直線方向の動きのベルト機構にして、狭小でスペースを取らないようにした。
【００７８】上記の３，７，１６，２１，２９，３０垂直方向相対ベルトの下方に、ベルトコンベア中心流方向に、２２水平方向移載用ベルトを設けた。
【実施例】
【００７９】この発明の粉粒体、食品等のベルト式包装機、真空包装機及びその方法。の実施例に基づいて説明すると、図１において、３，７，１６，２１垂直方向相対ベルトは適当なピッチでタクト送りをする。動と停止を繰り返す。停止の状態の時、別置きの袋供給機の積重した袋を、真空パットで吸着し、１枚のみを取り出す機構で、３、７垂直方向相対ベルトの２受け入れ面に、７垂直方向相対ベルト面に平行に移載する。７垂直方向相対ベルト表面は、真空吸引されている為、１被開口袋は、７垂直方向相対ベルトに吸着される。真空パットが袋から外れると、３、７垂直方向相対ベルトは動き前進する。挟まれた１被開口袋は、両面が吸着される。そして、前進すると、６垂直方向相対ベルト内幅が１２開口されている為、１被開口袋は１７開口され前進する。そして、１６，２１平行垂直ベルトに移載されて、１７開口径が最大で１６，２１平行垂直ベルトが停止する。この位置で、特許第３５８１８６０号の定量分割機の吐出口下方に、合わし充填する。また、手作業の時も、この位置で充填する。充填が完了すると、１６，２１平行垂直ベルトと２２水平移載ベルトは動き移載する。そして、次の工程のシール工程、真空包装工程等に入る。又、垂直方向相対ベルトの配列として、挟垂直方向相対ベルトのみ独立した後に、開口と平行ベルトを設けても良い。又、個々に独立した、挟み、開口、平行ベルトコンベアとしても良い。連続的に袋の供給、開口、移載ができる。【００８０】垂直方向相対ベルトを平、タイミングベルト又は、フリーチェンコンベアにしても良い。分割充填時、袋の口を汚さない為、充填部の独立した、１６，２１平行垂直方向相対ベルトにする事も出来る。充填時、完了時に平行垂直方向相対ベルトの上下の昇降手段機構を設けることも出来る。【００８１】又、真空無しの１６，２１平行垂直方向相対ベルトで挟み、従来の開口機器等を利用して、上にエアー等を噴射して、小さな隙間を設け、挟みシリンダー機器等で、袋を開口することも出来る。又、目的により、分割充填が機械で使用出来ない場合、又は簡易型、手作業で品物を充填するのは、真空装置を使用しない機構で、袋を手で開口して、ジョウゴ等を挿入して内装さし、相対ベルト幅で、緩くジョウゴ付き開口袋を挟んで、移載することも出来る。袋の開口とジョウゴの内装を専従し、平行垂直方向相対ベルトに装着することで、より効率がアップする。１６，２１平行垂直方向相対ベルトが停止時に品物を充填する。【００８２】真空包装の場合は、２６特許第３５８１８６０号非流動体の定量分割機等下の、１６、２１平行垂直方向相対ベルトに吸着保持された、１開口袋を上昇し、そして、品物上部面と吐出口をほぼ一定間隙を保持しつつ充填し、１６，２１平行垂直方向相対ベルトを順次降下する。【００８３】２９，３０狭垂直方向相対ベルトで狭めて、開口部を挟み、３１開閉自在隔室で真空脱気完了すると、２４ヒートシールならしめ完了すると移載する。
【産業上の利用可能性】
【００８４】同発明者取得特許第３５８１８６０号の非流動体の定量分割機等と、当該発明の袋開口機、移載機、包装機、真空包装機を組み合わせると、人手に触れず、定量分割が出来、安全、安心な食品が提供出来る。【００８５】分割時毎回手に触れて、菌や鳥インフルエンザ等のウイルスの２次感染及び異物混入の防御が必要不可欠であった。本発明で衛生面及び安全性が可能となり、食品製造産業にとって画期的なものになる。【００８６】特許第３５８１８６０号の非流動体の定量分割機等と、当該発明の袋開口機、移載機、包装機、真空包装機と組み合わせると完全自動化が計られ、１人の人員で複数のラインを管理できる為、人員を大幅に減少できる。大人数のパートの製造人員に頼っていた、惣菜食品産業等にとっては大きく変革を与える。【００８７】自動分割機にかからない、手作業商品の品物も、袋の自動供給、開口、移載が容易となり、袋に毎回触れ無く、ウイルス等の混入が無くなる。【００８８】惣菜食品に関わらず、乾燥粉体、粉体調味料、粉粒体等の品物を袋詰めする品物、に対応できる。【００８９】完全自動化で、よりコンパクト化が出来る。より小企業にも対応出来る。【００９０】小規模で安価に、レトルト食品が出来る。【００９１】日持ちのする惣菜が出来る。【００９２】次世代の真空包装機になる。
【図面の簡単な説明】
【００９３】
【図１】この発明の実施例を示す略斜視平面図である。
【図２】当該真空包装の場合の、全体側面図である。
【図３】当該真空包装の場合の、平面図である。
【符号の説明】
１、被開口袋、２、受け入れ面、３、広垂直方向相対ベルト、４、接続穴、５、垂直方向真空隔室、６、広垂直方向相対ベルト内幅、７広方向相対ベルト、８、接続穴、９、広垂直方向相対ベルト内幅、１０、垂直方向真空隔室、１１、導通穴、１２、開口、１３、接続穴、１４、導通穴、１５、垂直方向真空隔室、１６、平行垂直方向相対ベルト、１７、被開口袋の開口、１８、接続穴、１９、受容開口径の許容範囲、２０、垂直方向真空隔室、２１、平行垂直平行方向ベルト、２２、水平方向移載ベルト、２３、ジョウゴ、２４、ヒートシール、２５、真空脱気ノズル、２６、分割機、２７、垂直方向真空隔室、２８、垂直方向真空隔室、２９、挟垂直方向相対ベルト、３０、挟む直方向相対ベルト、３１、開閉自在隔室。